(57)【要約】【課題】据付板の係止部に対応して熱交換器の背面側の両側上部に設けられ、空気通路の一部を構成する連結部材により連結された係止片からなる係止部を備えた壁掛式の空気調和機を提供する。【解決手段】本体１の上部に形成された吸込口２と、下部に形成された吹出口３とを結ぶ空気通路に、エアフィルタ４と、逆Ｖ字状に形成された熱交換器５と、同熱交換器５により熱交換された空気を前記吹出口３へ送出する送風ファン６とを設けると共に、前記吹出口３に室内への風向を調節する風向調節板７を設け、前記熱交換器５の背面側の両側上部に、前記空気通路の一部を形成する連結部材により連結された一対の係止片９を設け、同係止片９を壁面に固定された据付板１０の係止部１１に係止させるようにした。【選択図】　図１
2004011941.tif 000002
【特許請求の範囲】
【請求項１】
本体の上部に形成された吸込口と、下部に形成された吹出口とを結ぶ空気通路に、エアフィルタと、逆Ｖ字状に形成された熱交換器と、同熱交換器により熱交換された空気を前記吹出口へ送出する送風ファンとを設けると共に、前記吹出口に室内への風向を調節する風向調節板を設け、前記熱交換器の背面側の両側上部に、前記空気通路の一部を形成する連結部材により連結された一対の係止片を設け、同係止片を壁面に固定された据付板の係止部に係止させるようにしてなることを特徴とする空気調和機。
【請求項２】
前記熱交換器の両側部が、前記係止片および前記連結部材に連続形成された支持部材により支持されるようにしてなることを特徴とする請求項１に記載の空気調和機。
【請求項３】
前記支持部材が、前記熱交換器の両側部を閉塞する閉塞体を兼ねるようにしてなることを特徴とする請求項２に記載の空気調和機。
【請求項４】
前記連結部材に、前記熱交換器の長手方向の略中央を支持する支持片を突設してなることを特徴とする請求項２または請求項３に記載の空気調和機。
【請求項５】
前記支持片は、その先端部が前記熱交換器を構成する伝熱管に対応して円弧状に形成されてなることを特徴とする請求項４に記載の空気調和機。
【発明の詳細な説明】
【０００１】
【発明の属する技術分野】
本発明は、壁掛式の空気調和機に係わり、より詳細には、据付板の係止部に対応して熱交換器の背面側の両側上部に設けられ、空気通路の一部を構成する連結部材により連結された係止片の構造に関する。
【０００２】
【従来の技術】
従来の壁掛式の空気調和機は、例えば図１と、図３（Ａ）および図３（Ｂ）とで示すように、空気調和機本体１の上部に形成された吸込口２と、下部に形成された吹出口３とを結ぶ空気通路に、エアフィルタ４と、等間隔で平行に並べられた多数のフィン５ａと、これに直交する伝熱管５ｂとからなる逆Ｖ字状に形成された熱交換器５と、同熱交換器５により熱交換された空気を前記吹出口３へ送出する送風ファン６とを設けると共に、前記吹出口３に室内への風向を調節する風向調節板７を設け、前記熱交換器５の背面側の両側上部に一対の係止片９を設け、同係止片９を壁面に固定された据付板１０の係止部１１に係止させるようにしてなる構成であった。
【０００３】
以上の構成でなる空気調和機本体１が、剛性部材と見なされる前記熱交換器５に前記一対の係止片９を取り付けることにより、同一対の係止片９に対応する係止部を備えた前記据付板によって被空気調和室の壁面に壁掛設置された際、前記熱交換器５の剛性により、他の部品を薄肉化、軽量化、簡素化できるなどの効果を奏する以外に、据付後の定期メンテナンス時には、前記熱交換器５および前記一対の係止片９が一体化した状態のままで、他の部品を全て取り外すことが可能になって作業性を良好にするという利点を有していた。
【０００４】
しかしながら、前記一対の係止片９は、夫々が前記熱交換器５の背面側の両側上部に取り付けられた構成であることから、長手方向の寸法精度を前記熱交換器５の出来合いに依存することから精度が悪い場合があり、空気調和機本体１を構成する前面パネルなど他の部品との嵌め合いにおいて、異常干渉が生じてしまうといった問題点を有していた。
【０００５】
【発明が解決しようとする課題】
本発明は、上記問題点に鑑み、据付板の係止部に対応して熱交換器の背面側の両側上部に設けられ、空気通路の一部を構成する連結部材により連結された係止片からなる係止部を備えた壁掛式の空気調和機を提供することを目的とする。
【０００６】
【課題を解決するための手段】
本発明は、上記課題を解決するため、本体の上部に形成された吸込口と、下部に形成された吹出口とを結ぶ空気通路に、エアフィルタと、逆Ｖ字状に形成された熱交換器と、同熱交換器により熱交換された空気を前記吹出口へ送出する送風ファンとを設けると共に、前記吹出口に室内への風向を調節する風向調節板を設け、前記熱交換器の背面側の両側上部に、前記空気通路の一部を形成する連結部材により連結された一対の係止片を設け、同係止片を壁面に固定された据付板の係止部に係止させるようにした構成となっている。
【０００７】
また、前記熱交換器の両側部が、前記係止片および前記連結部材に連続形成された支持部材により支持されるようにした構成となっている。
【０００８】
また、前記支持部材が、前記熱交換器の両側部を閉塞する閉塞体を兼ねるようにした構成となっている。
【０００９】
また、前記連結部材に、前記熱交換器の長手方向の略中央を支持する支持片を突設した構成となっている。
【００１０】
更に、前記支持片は、その先端部が前記熱交換器を構成する伝熱管に対応して円弧状に形成された構成となっている。
【００１１】
【発明の実施の形態】
以下、本発明の実施の形態を図面に基づいた実施例として詳細に説明する。
図１は本発明（および従来技術）による空気調和機の断面図であり、図２は本発明による空気調和機の要部説明図で、（Ａ）は分解斜視図、（Ｂ）は斜視図である。
【００１２】
本発明による壁掛式の空気調和機は、図１と、図２（Ａ）および図２（Ｂ）とで示すように、空気調和機本体１が前部を開放したベースａと、同ベースａの前部に装着された前面パネルｂとで構成され、同前面パネルｂの上面部に形成された吸込口２と、下面部に形成された吹出口３とを結ぶ空気通路には、吸込空気中に含まれた塵埃を除去するためのエアフィルタ４と、等間隔で平行に並べられた多数のフィン５ａとこれに直交する伝熱管５ｂとからなり、逆Ｖ字状に形成された熱交換器５と、同熱交換器５によって熱交換された空気を前記吹出口３へ送出する送風ファン６とが設けられた構成になっている。
【００１３】
前記吹出口３には、被空気調和室に吹き出される吹出空気の風向を調節する風向調節板７が回動自在に設けられた構成となっており、前記送風ファン６によって前記吸込口２から吸い込まれた吸込空気は、前記エアフィルタ４を通過したのち、前記熱交換器５により熱交換されて前記吹出口３に送出されるようになっている。
【００１４】
前記熱交換器５の背面側の両側上部には、前記空気通路の一部を形成する連結部材８により連結された一対の係止片９が設けられ、同係止片９を壁面に固定された据付板１０の係止部１１に係止させることにより、空気調和機本体１が被空気調和室の壁面に壁掛設置されるようになっている。
【００１５】
その際、前記据付板１０の下位部に設けられた接合部ｃを、前記ベースａの背面下部に設けられた取付部ｄに接合し、該個所をねじ止めするなどして固定するようにした構成となっている。
【００１６】
そして、剛性部材と見なされる前記熱交換器５に、前記連結部材８により連結された一対の係止片９を取り付けることにより、同一対の係止片９に対応する係止部１１を備えた前記据付板１０によって被空気調和室の壁面に壁掛設置された際、前記熱交換器５の剛性により、他の部品を薄肉化、軽量化、簡素化できるなどの効果を奏する以外にも、据付後の定期メンテナンス時には、前記熱交換器５および前記一対の係止片９が一体化した状態のままで、他の部品を全て取り外すことが可能になって作業性を良好にできるという利点を有した構成になっている。
【００１７】
更に、前記一対の係止片９は、図２（Ａ）および図２（Ｂ）で示すように前記連結部材８によって連結された構成となっており、これによって、前記熱交換器５の左右幅の出来合い寸法に影響されることなく、同熱交換器５の背面側の両側上部に取り付けられることになる。
【００１８】
これによって、前記連結部材８によって連結された一対の係止片９は、その長手方向の寸法精度を前記熱交換器５の出来合いに依存しないことから精度が悪くならず、空気調和機本体１を構成する前記前面パネルｂなど他の部品との嵌め合いにおいて、上記に説明した従来技術のように、異常干渉が生じてしまうといった問題が生じなくなる。
【００１９】
また、前記熱交換器５の両側部が、前記係止片９および前記連結部材８に連続形成され、前記熱交換器５の両側部を閉塞する閉塞体を兼ねる支持部材１２によって支持されるようにした構成となっており、これによって、前記熱交換器５の両側部を支持する支持部材１２や、同両側部を閉塞する閉塞体を夫々個別に製作して組付ける必要がなくなるので、コスト的にも組立作業においても有利である。
【００２０】
また、前記連結部材８に、図２（Ｂ）で示すように、前記熱交換器５の長手方向の略中央を支持し、先端部が前記熱交換器５を構成する伝熱管５ｂに対応して円弧状に形成された支持片１３を突設した構成となっており、これによって、前記熱交換器５の長手方向の略中央に振動が生じたり、該個所が撓んでしまうといったことが生じないように強固に支持できる。
【００２１】
【発明の効果】
以上説明したように、本発明によると、据付板の係止部に対応して熱交換器の背面側の両側上部に設けられ、空気通路の一部を構成する連結部材により連結された係止片からなる係止部を備えた壁掛式の空気調和機となる。
【図面の簡単な説明】
【図１】本発明および従来技術による空気調和機の断面図である。
【図２】本発明による空気調和機の要部説明図で、（Ａ）は分解斜視図であり、（Ｂ）は斜視図である。
【図３】従来例による空気調和機の要部説明図で、（Ａ）は分解斜視図であり、（Ｂ）は斜視図である。
【符号の説明】
１　空気調和機本体
２　吸込口
３　吹出口
４　エアフィルタ
５　熱交換器
５ａ　フィン
５ｂ　伝熱管
６　送風ファン
７　風向調節板
８　連結部材
９　係止片
１０　据付板
１１　係止部
１２　支持部材
１３　支持片
ａ　ベース
ｂ　前面パネル
ｃ　接合部
ｄ　取付部
【図１】
2004011941.tif 000003
【図２】
2004011941.tif 000004
【図３】
2004011941.tif 000005